(57)【特許請求の範囲】
【請求項１】
複数の処理の各々を特定することができ、かつ当該複数の処理の処理順序を特定することができる処理関係情報に基づいて、当該複数の処理を連続的に実行する実行手段と、
前記複数の処理の各々を特定することができ、かつ当該複数の処理の処理順序を特定することができる前記処理関係情報を記憶する記憶手段と、
前記複数の処理に含まれ、前記複数の処理における最後の処理よりも前に実行される、予め定められた処理の指定を受け付ける受付手段と、
前記実行手段によって実行される前記複数の処理に含まれる何れの処理が終了したかを検出する検出手段と、
前記記憶手段に記憶されている前記処理関係情報に基づいて、前記検出手段によって検出された処理が前記処理順序で特定される最後の処理であるか否か、及び前記最後の処理よりも前に実行される処理であるか否かを判定する判定手段と、
前記検出された処理が前記判定手段により前記最後の処理であると判定された場合に予め定められた第１の表示を行い、前記検出された処理が前記判定手段により前記最後の処理よりも前に実行される処理であって、前記受付手段によって受け付けられた予め定められた処理の指定であると判定された場合に前記第１の表示とは異なる予め定められた第２の表示を行う表示手段と、
を備えた情報処理装置。
【請求項２】
前記複数の処理を、原稿を読み取って画像情報を取得するスキャナ手段、画像情報に応じた画像を記録媒体に記録するプリント手段、ＦＡＸ送受信を行うＦＡＸ手段、電子メールの送受信を行う電子メール手段、前記ＦＡＸ手段により受信したＦＡＸ電文を転送する転送手段、端末装置と連携して各種情報処理を行う外部連携手段、複数のＦＡＸ装置に対して同一のＦＡＸ電文を送信するＦＡＸ同報送信手段、前記複数のＦＡＸ装置からＦＡＸ電文を受信するＦＡＸ集信手段、指定された複数の画像情報の各々により示される画像を記録媒体に記録するマルチファイルプリント手段、及び前記スキャナ手段により原稿を読み取って画像情報を取得し、該画像情報を前記複数のＦＡＸ装置に対して送信するマルチセンド手段のうちの少なくとも２つとした請求項１に記載の情報処理装置。
【請求項３】
前記表示手段により前記表示を行うか否かを示す表示要否情報を受け付ける第２受付手段を更に備え、
前記表示手段は、前記第２受付手段により受け付けられた前記表示要否情報が前記表示を行うことを示す場合に限り前記表示を行う
請求項１又は請求項２記載の情報処理装置。
【請求項４】
前記第２受付手段は、前記複数の処理からなる処理群が複数種類ある場合、当該処理群の種類毎に前記表示要否情報を受け付け、
前記表示手段は、前記検出手段の検出対象とされた前記画像情報処理が含まれる前記処理群の種類に対応する前記表示要否情報が前記表示を行うことを示す場合に限り前記表示を行う
請求項３記載の情報処理装置。
【請求項５】
前記実行手段は、更に、前記複数の処理の各々を単独で実行し、
前記検出手段は、更に、前記実行手段によって単独で実行された前記処理が終了したかを検出し、
前記第２受付手段は、更に、前記実行手段によって単独で実行される前記処理に対する前記表示要否情報を受け付け、
前記表示手段は、前記実行手段によって単独で実行された前記処理が終了したことが前記検出手段によって検出された場合、該検出手段の検出対象とされた前記処理に対応する前記表示要否情報が前記表示を行うことを示す場合に限り前記表示を行う請求項３又は請求項４に記載の情報処理装置。
【請求項６】
前記表示手段により前記第２の表示を行うか否かを示す第２の表示要否情報を受け付ける第３の受付手段を更に備え、
前記表示手段は、前記第３の受付手段により受け付けられた前記第２の表示要否情報が前記第２の表示を示す場合に限り前記第２の表示を行う
請求項１〜請求項５の何れか１項に記載の情報処理装置。
【請求項７】
前記実行手段により前記複数の処理が正常に連続的に実行されたか否かを判定する第２判定手段を更に備え、
前記表示手段は、前記第２判定手段により前記複数の処理が正常に連続的に実行されなかったと判定された場合に予め定められた第３の表示を行う請求項１〜請求項６の何れか１項に記載の情報処理装置。
【請求項８】
コンピュータを、
複数の処理の各々を特定することができ、かつ当該複数の処理の処理順序を特定することができる処理関係情報に基づいて、当該複数の処理を連続的に実行する実行手段、
前記実行手段によって実行される前記複数の処理に含まれる何れの処理が終了したかを検出する検出手段、
前記複数の処理の各々を特定することができ、かつ当該複数の処理の処理順序を特定することができる前記処理関係情報を記憶する記憶手段に記憶されている前記処理関係情報に基づいて、前記検出手段によって検出された処理が前記処理順序で特定される最後の処理であるか否か、及び前記最後の処理よりも前に実行される処理であるか否かを判定する判定手段、
並びに、前記検出された処理が前記判定手段により前記最後の処理であると判定された場合に表示手段により予め定められた第１の表示を行い、前記検出された処理が前記判定手段により前記最後の処理であって、前記複数の処理に含まれ、前記複数の処理における最後の処理よりも前に実行される、予め定められた処理の指定を受け付ける受付手段によって受け付けられた予め定められた処理の指定であると判定された場合に前記表示手段により前記第１の表示とは異なる予め定められた第２の表示を行う手段として機能させるための情報処理プログラム。
【発明の詳細な説明】
【技術分野】
【０００１】
本発明は、情報処理装置及び情報処理プログラムに関する。
【背景技術】
【０００２】
特許文献１には、送信又は受信終了時にアナウンスを行うファクシミリ装置が開示されている。
【０００３】
また、特許文献２には、通信が正常に終了したか否かを判定し、正常に終了した場合とそうでない場合とで終了音を変化させるファクシミリ通信装置が開示されている。
【０００４】
また、特許文献３には、送信機能、受信機能、複写機能等の複数の機能を有する通信端末装置において、各機能の終了時に動作する鳴動発生手段と、各機能毎に鳴動発生手段を動作させるか否かを設定する鳴動設定手段と、を備えた通信端末装置が開示されている。
【０００５】
更に、特許文献４には、通信相手先に応じて受信動作終了時に鳴動されるブザー音の音色又は音量を変化させる画像通信装置が開示されている。
【特許文献１】特開平８−１０２８３９号公報
【特許文献２】特開平１１−１６８５８７号公報
【特許文献３】特開２００２−３２００５４号公報
【特許文献４】特開２００３−２１９１３６号公報
【発明の開示】
【発明が解決しようとする課題】
【０００６】
本発明は、以上の技術背景においてなされたものであり、本発明を適用しない場合に比較して、予め定められた複数の処理が終了したことを容易に知ることができる情報処理装置及び情報処理プログラムを提供することを目的とする。
【課題を解決するための手段】
【０００７】
上記目的を達成するために、請求項１に記載の情報処理装置は、複数の処理の各々を特定することができ、かつ当該複数の処理の処理順序を特定することができる処理関係情報に基づいて、当該複数の処理を連続的に実行する実行手段と、前記複数の処理の各々を特定することができ、かつ当該複数の処理の処理順序を特定することができる前記処理関係情報を記憶する記憶手段と、前記複数の処理に含まれ、前記複数の処理における最後の処理よりも前に実行される、予め定められた処理の指定を受け付ける受付手段と、前記実行手段によって実行される前記複数の処理に含まれる何れの処理が終了したかを検出する検出手段と、前記記憶手段に記憶されている前記処理関係情報に基づいて、前記検出手段によって検出された処理が前記処理順序で特定される最後の処理であるか否か、及び前記最後の処理よりも前に実行される処理であるか否かを判定する判定手段と、前記検出された処理が前記判定手段により前記最後の処理であると判定された場合に予め定められた第１の表示を行い、前記検出された処理が前記判定手段により前記最後の処理よりも前に実行される処理であって、前記受付手段によって受け付けられた予め定められた処理の指定であると判定された場合に前記第１の表示とは異なる予め定められた第２の表示を行う表示手段と、を備えている。
【０００８】
また、請求項２に記載の発明は、請求項１記載の発明において、前記複数の処理を、原稿を読み取って画像情報を取得するスキャナ手段、画像情報に応じた画像を記録媒体に記録するプリント手段、ＦＡＸ送受信を行うＦＡＸ手段、電子メールの送受信を行う電子メール手段、前記ＦＡＸ手段により受信したＦＡＸ電文を転送する転送手段、端末装置と連携して各種情報処理を行う外部連携手段、複数のＦＡＸ装置に対して同一のＦＡＸ電文を送信するＦＡＸ同報送信手段、前記複数のＦＡＸ装置からＦＡＸ電文を受信するＦＡＸ集信手段、指定された複数の画像情報の各々により示される画像を記録媒体に記録するマルチファイルプリント手段、及び前記スキャナ手段により原稿を読み取って画像情報を取得し、該画像情報を前記複数のＦＡＸ装置に対して送信するマルチセンド手段のうちの少なくとも２つとしたものである。
また、請求項３に記載の発明は、請求項１又は請求項２に記載の発明において、前記表示手段により前記表示を行うか否かを示す表示要否情報を受け付ける第２受付手段を更に備え、前記表示手段が、前記第２受付手段により受け付けられた前記表示要否情報が前記表示を行うことを示す場合に限り前記表示を行うものである。
【０００９】
また、請求項４に記載の発明は、請求項３記載の発明において、前記第２受付手段が、前記複数の処理からなる処理群が複数種類ある場合、当該処理群の種類毎に前記表示要否情報を受け付け、前記表示手段が、前記検出手段の検出対象とされた前記画像情報処理が含まれる前記処理群の種類に対応する前記表示要否情報が前記表示を行うことを示す場合に限り前記表示を行うものである。
また、請求項５に記載の発明は、請求項３又は請求項４に記載の発明において、前記実行手段が、更に、前記複数の処理の各々を単独で実行し、前記検出手段が、更に、前記実行手段によって単独で実行された前記処理が終了したかを検出し、前記第２受付手段が、更に、前記実行手段によって単独で実行される前記処理に対する前記表示要否情報を受け付け、前記表示手段が、前記実行手段によって単独で実行された前記処理が終了したことが前記検出手段によって検出された場合、該検出手段の検出対象とされた前記処理に対応する前記表示要否情報が前記表示を行うことを示す場合に限り前記表示を行うものである。
【００１２】
また、請求項６に記載の発明は、請求項１〜請求項５の何れか１項に記載の発明において、前記表示手段により前記第２の表示を行うか否かを示す第２の表示要否情報を受け付ける第３の受付手段を更に備え、前記表示手段が、前記第３の受付手段により受け付けられた前記第２の表示要否情報が前記第２の表示を示す場合に限り前記第２の表示を行うものである。
【００１３】
また、請求項７に記載の発明は、請求項１〜請求項６の何れか１項に記載の発明において、前記実行手段により前記複数の処理が正常に連続的に実行されたか否かを判定する第２判定手段を更に備え、前記表示手段が、前記第２判定手段により前記複数の処理が正常に連続的に実行されなかったと判定された場合に予め定められた第３の表示を行うものである。
【００１４】
一方、上記目的を達成するために、請求項８に記載の情報処理プログラムは、複数の処理の各々を特定することができ、かつ当該複数の処理の処理順序を特定することができる処理関係情報に基づいて、当該複数の処理を連続的に実行する実行手段、前記実行手段によって実行される前記複数の処理に含まれる何れの処理が終了したかを検出する検出手段、前記複数の処理の各々を特定することができ、かつ当該複数の処理の処理順序を特定することができる前記処理関係情報を記憶する記憶手段に記憶されている前記処理関係情報に基づいて、前記検出手段によって検出された処理が前記処理順序で特定される最後の処理であるか否か、及び前記最後の処理よりも前に実行される処理であるか否かを判定する判定手段、並びに、前記検出された処理が前記判定手段により前記最後の処理であると判定された場合に表示手段により予め定められた第１の表示を行い、前記検出された処理が前記判定手段により前記最後の処理であって、前記複数の処理に含まれ、前記複数の処理における最後の処理よりも前に実行される、予め定められた処理の指定を受け付ける受付手段によって受け付けられた予め定められた処理の指定であると判定された場合に前記表示手段により前記第１の表示とは異なる予め定められた第２の表示を行う手段として機能させるためのものである。
【発明の効果】
【００１５】
請求項１及び請求項８に記載の発明によれば、本発明を適用しない場合に比較して、予め定められた複数の処理が終了したことを容易に知ることができる、という効果が得られる。
【００１６】
また、請求項３に記載の発明によれば、請求項１に記載の発明の効果に加え、予め定められた複数の処理が終了したことを知らせるか否かを選択することができ、この結果、利便性を向上させることができる、という効果が得られる。
【００１７】
また、請求項４に記載の発明によれば、請求項３に記載の発明の効果に加え、予め定められた複数の処理が終了したことを知らせるか否かを処理群の種類毎に選択することができ、この結果、利便性を向上させることができる、という効果が得られる。
【００２０】
また、請求項６に記載の発明によれば、請求項１〜請求項５の何れか１項に記載の発明の効果に加え、予め定められた複数の処理における最後の処理よりも前の予め定められた処理の終了を知らせるか否かを選択することができ、この結果、利便性を向上させることができる、という効果が得られる。
【００２１】
更に、請求項７に記載の発明によれば、請求項１〜請求項６の何れか１項に記載の発明の効果に加え、予め定められた複数の処理が正常に連続的に実行されたか否かを容易に知ることができる、という効果が得られる。
【発明を実施するための最良の形態】
【００２２】
以下、図面を参照して、本発明を実施するための最良の形態について詳細に説明する。なお、以下では、本発明を、スキャナ機能、プリント機能、ファクシミリ（以下、「ＦＡＸ」という。）機能、電子メール機能及びコピー機能を備えた複合機に適用した場合について説明する。
【００２３】
図１は、本実施形態に係る複合機１０の機能的な構成を示す機能ブロック図である。
【００２４】
同図に示すように、複合機１０は、実行部１２、記憶部１４、検出部１６、判定部１７及び表示部１８を含んで構成されている。
【００２５】
実行部１２は、予め定められた複数の処理を連続的に実行するものである。なお、本実施形態に係る複合機１０では、当該処理として、スキャナ機能による処理、プリント機能による処理、ＦＡＸ機能による処理、電子メール機能による処理の他に、後述する転送機能による処理、後述する外部連携機能による処理が適用されている。
【００２６】
記憶部１４は、実行部１２によって連続的に実行される予め定められた複数の処理の各々を特定することができ、かつ当該複数の処理の処理順序を特定することができる処理関係情報が予め記憶されたものである。なお、本実施形態に係る複合機１０では、記憶部１４に後述する表示要否情報や種類情報等の各種情報も記憶される。
【００２７】
検出部１６は、実行部１２により予め定められた複数の処理の何れの処理が終了したかを検出するものである。なお、本実施形態に係る複合機１０では、検出対象となっている処理が終了すると、実行部１２から当該処理が終了したことを示す処理終了情報が検出部１６に入力され、これによって検出部１６により当該処理が終了したことを検出する形態を適用している。
【００２８】
判定部１７は、記憶部１４に記憶されている処理関係情報を読み出し、実行部１２により複数の処理が連続的に実行されているとき、検出部１６によって検出された処理が上記処理関係情報により特定される上記複数の処理における最後の処理であるか否かを判定するものである。なお、本実施形態に係る複合機１０では、判定部１７が、検出部１６によって検出された処理が処理関係情報により特定される上記複数の処理における最後の処理であると判定した場合に、その旨を示す判定情報を表示部１８に出力する形態を適用している。
【００２９】
表示部１８は、判定部１７により前記最後の処理であると判定された場合に予め定められた表示を行うものである。なお、本実施形態に係る複合機１０では、表示部１８が、判定部１７から上記判定情報が入力されると、予め定められた表示を行う形態を適用している。また、本実施形態に係る複合機１０では、上記予め定められた表示として、予め定められた可聴表示を適用している。
【００３０】
以下、複合機１０の具体的な形態例について説明する。
【００３１】
［第１の実施形態］
図２は、本第１の実施形態に係る複合機１０の電気系の要部構成を示すブロック図である。
【００３２】
同図に示すように、複合機１０は、ＣＰＵ（中央処理装置）２０、ＲＯＭ（Read Only Memory）２２、ＲＡＭ（Random Access Memory）２４、ＵＩ（ユーザ・インタフェース）パネル２６、ＮＶＭ（Non Volatile Memory)２８、ネットワークインタフェース３０及びファクシミリインタフェース３２を含んで構成されている。
【００３３】
ＣＰＵ２０は、複合機１０全体の動作を司るものである。ＲＯＭ２２は、記録媒体として機能するものであり、複合機１０の作動を制御する制御プログラム、後述する情報処理プログラムや各種パラメータ等を予め記憶するものである。ＲＡＭ２４は、各種プログラムの実行時のワークエリア等として用いられるものである。ＮＶＭ２８は、各種データ等を記憶するものである。
【００３４】
ＵＩパネル２６は、ディスプレイ上に透過型のタッチパネルが重ねられたタッチパネルディスプレイ等から構成され、各種情報がディスプレイの表示面に表示されると共に、ユーザがタッチパネルに触れることにより所望の情報や指示が入力される。
【００３５】
ネットワークインタフェース３０は、ネットワークを介してパーソナル・コンピュータ等の端末装置３４に接続され、端末装置３４への各種情報の送信及び端末装置３４からの各種情報の受信を行うためのものである。
【００３６】
ＦＡＸインタフェース３２は、公衆回線に接続され、当該公衆回線に接続されたＦＡＸ装置３６へのＦＡＸ電文の送信（以下、「ＦＡＸ送信」という。）及びＦＡＸ装置３６からのＦＡＸ電文の受信（以下、「ＦＡＸ受信」という。）を行うためのものである。
【００３７】
ＣＰＵ２０、ＲＯＭ２２、ＲＡＭ２４、ＵＩパネル２６、ＮＶＭ２８、ネットワークインタフェース３０及びＦＡＸインタフェース３２は、システムバスＢＵＳを介して相互に接続されている。
【００３８】
従って、ＣＰＵ２０は、ＲＯＭ２２、ＲＡＭ２４、ＮＶＭ２８へのアクセスと、ＵＩパネル２６への各種情報の表示と、ＵＩパネル２６に対するユーザの操作指示内容の把握と、端末装置３４へのネットワークインタフェース３０を介した各種情報の送信と、端末装置３４からのネットワークインタフェース３０を介した各種情報の受信と、ＦＡＸ装置３６へのＦＡＸインタフェース３２を介したファクシミリ電文の送信と、ＦＡＸ装置３６からのＦＡＸインタフェース３２を介したファクシミリ電文の受信と、を各々行うことができる。
【００３９】
また、複合機１０は、原稿に記録された画像を読み取り、当該画像を示す画像情報を取得するスキャナ部３８と、感光体に静電潜像を記録し、静電潜像をモノクロトナーまたはカラートナーを用いて現像し、現像した画像を記録紙に記録するプリンタ部４０と、ＦＡＸインタフェース３２を介して公衆回線と接続され、公衆回線を介してファクシミリ電文のＦＡＸ送信及びＦＡＸ受信を行うＦＡＸ部４２と、ネットワークインタフェース３０を介してネットワークと接続され、ＦＡＸ部４２によってＦＡＸ受信したＦＡＸ電文やスキャナ部３８によって読み取られた画像を示す画像情報等を電子メールとしてネットワークを介して端末装置３４に送信する電子メール部４４と、を含んで構成されている。
【００４０】
なお、以下、スキャナ部３８、プリンタ部４０、ＦＡＸ部４２及び電子メール部４４等の後述する実行指示に従って処理を実行する箇所を区別することなく用いる場合には「処理実行部」と称する。
【００４１】
スキャナ部３８、プリンタ部４０、ＦＡＸ部４２及び電子メール部４４もまた、上述したシステムバスＢＵＳに接続されている。従って、ＣＰＵ２０は、スキャナ部３８、プリンタ部４０、ＦＡＸ部４２及び電子メール部４４の作動の制御を行うことができる。
【００４２】
なお、本第１の実施形態に係る複合機１０では、上記処理実行部は、ＣＰＵ２０から予め定められた処理単位の処理の実行指示を受信し、これに応じて当該処理を実行して終了すると、当該処理が終了したことを示し、かつ当該処理を特定できる処理終了情報をＣＰＵ２０に出力する。
【００４３】
なお、本第１の実施形態に係る複合機１０には、前述したスキャナ機能、プリント機能、ＦＡＸ機能、電子メール機能、コピー機能の他に、ＦＡＸ受信したＦＡＸ電文を予め定められた電子化ファイルに変換して予め定められた端末装置３４に転送する転送機能、端末装置３４と連携して各種情報処理を行う外部連携機能、予め定められた複数のＦＡＸ装置３６に対して同一のＦＡＸ電文を送信するＦＡＸ同報送信機能、予め定められた複数のＦＡＸ装置３６に対してポーリングを行い、これらのＦＡＸ装置３６からＦＡＸ電文を受信するＦＡＸ集信機能、ＮＶＭ２８に複数の画像情報が予め記憶されている場合に、ユーザによりＵＩパネル２６を介して画像情報を複数指定し、指定した画像情報の各々により示される画像を記録紙に記録する機能（以下、「マルチファイルプリント機能」という。）、スキャナ機能により原稿を読み取って画像情報を取得し、当該画像情報を複数の端末装置３４に送信する機能（以下、「マルチセンド機能」という。）、及び上記機能を複数組み合わせて各機能を連続的に働かせる機能（以下、「フロージョブ機能」という。）が備えられている。
【００４４】
なお、本第１の実施形態に係る複合機１０では、ＣＰＵ２０からの上記実行指示に応じて上記転送機能による処理が実行された場合には、端末装置３４が複合機１０からの上記電子化ファイルを受信すると、処理終了情報をネットワークインタフェース３０を介してＣＰＵ２０に送信する。また、ＣＰＵ２０からの上記実行指示に応じて上記マルチセンド機能による処理が実行された場合には、ネットワークインタフェース３０が上記画像情報を送信する毎に処理終了情報をＣＰＵ２０に出力する。また、ＣＰＵ２０からの上記実行指示に応じて上記外部連携機能による処理が実行された場合には、端末装置３４での処理が終了すると、端末装置３４が処理終了情報をネットワークインタフェース３０を介してＣＰＵ２０に送信する。
【００４５】
また、複合機１０は、ブザー４６を含んで構成されている。ブザー４６もまた、上述したシステムバスＢＵＳに接続されている。従って、ＣＰＵ２０は、ブザー４６の作動の制御も行うことができる。
【００４６】
上記処理実行部が実行部１２に、ＮＶＭ２８が記憶部１４に、ＣＰＵ２０が検出部１６及び判定部１７に、ブザー４６が表示部１８に各々相当する。
【００４７】
ところで、本第１の実施形態に係る複合機１０では、ユーザによってＵＩパネル２６を介して複数の処理が指定されると、指定された処理の各々を特定することができ、かつ指定された複数の処理の処理順序を特定することができる処理関係情報がＣＰＵ２０によって生成され、当該処理関係情報がＮＶＭ２８に記憶される。
【００４８】
なお、本第１の実施形態に係る複合機１０では、ユーザによってＵＩパネル２６を介して上記複数の処理を指定する形態を適用しているが、本発明はこれに限定されるものではなく、上記複数の処理からなる処理群を示す情報を複数種類ＲＯＭ２２に予め記憶させておき、ユーザによってＵＩパネル２６を介してＲＯＭ２２に記憶されている処理群を指定する形態としても良い。
【００４９】
ところで、本第１の実施形態に係る複合機１０は、前述した機能のうちの予め定められた機能による処理が終了したときにブザー４６を鳴動させるものとされており、当該ブザー４６の鳴動音を処理の種類毎に切り替えることができるものとされている。なお、本第１の実施形態に係る複合機１０では、この際のブザー４６の鳴動音を示す情報を以下に示す第１のテーブル及び第２のテーブルにより特定するものとされている。
【００５０】
図３に示すように、本第１の実施形態に係る第１のテーブル情報は、処理の種類及びブザー４６による鳴動要否／アラーム番号の各情報が、処理の種類毎にＮＶＭ２８に記憶されている。なお、本第１の実施形態に係る複合機１０では、ＣＰＵ２０により、同図（Ａ）に示す第１のテーブル情報と同図（Ｂ）に示す第１のテーブルとが選択的に作成され、ＮＶＭ２８に記憶される。
【００５１】
なお、上記処理の種類は、複合機１０によって実施可能な処理の種類を示す情報であり、上記鳴動要否／アラーム番号は、ブザー４６による鳴動の要否及びブザー４６による鳴動を行う場合のアラームのパターンを示す情報である。
【００５２】
本第１の実施形態に係る第１のテーブル情報は、同図に示すように、コピー機能による処理、プリント機能による処理、スキャナ機能による処理、電子メール機能による処理、ＦＡＸ機能による処理、及びユーザによってＵＩパネル２６を介して指定された複数の処理からなる処理群の６種類の情報を含んで構成されている。
【００５３】
なお、本第１の実施形態に係る複合機１０では、ＦＡＸ同報送信機能、ＦＡＸ集信機能、マルチファイルプリント機能、マルチセンド機能及びフロージョブ機能の各々が上記処理群に相当している。
【００５４】
また、本第１の実施形態に係る第１のテーブル情報では、同図（Ａ）に示すように、コピー機能による処理にはブザー４６による鳴動を行わないことを示す情報が、プリント機能による処理には後述するアラーム番号１によるアラームのパターンでブザー４６を鳴動させることを示す情報が、スキャナ機能による処理にはブザー４６による鳴動を行わないことを示す情報が、電子メール機能による処理には後述するアラーム番号２によるアラームのパターンでブザー４６を鳴動させることを示す情報が、ＦＡＸ機能による処理には後述するアラーム番号３によるアラームのパターンでブザー４６を鳴動させることを示す情報が、上記処理群には後述するアラーム番号４によるアラームのパターンでブザー４６を鳴動させることを示す情報が各々関連付けられている。
【００５５】
一方、同図（Ｂ）に示す第１のテーブル情報では、処理の種類が同図（Ａ）と同一であり、上記処理群にブザー４６による鳴動を行わないことを示す情報が関連付けられている以外は、同図（Ａ）に示す第１のテーブル情報と同一に構成されている。
【００５６】
なお、本第１の実施形態に係る複合機１０では、上記処理群にブザー４６による鳴動を行わないことを示す情報が関連付けられるか或いはアラーム番号４によるアラームのパターンでブザー４６を鳴動させることを示す情報が関連付けられるかは後述する表示要否情報の内容によって決まる。
【００５７】
一方、図４に示すように、本第１の実施形態に係る第２のテーブル情報は、アラーム番号、音量、音の高さ及び鳴動期間の各情報が、アラーム番号毎にＮＶＭ２８に記憶されている。
【００５８】
なお、上記アラーム番号は、ブザー４６による鳴動を行う場合のアラームのパターンを示す情報であり、音量は、ブザー４６による鳴動音の大きさを示す情報であり、音の高さは、ブザー４６による鳴動音の高さを示す情報であり、鳴動期間は、ブザー４６による鳴動を実施する期間を示す情報である。なお、上記のアラームのパターンとは、上記音量、上記音の高さ及び上記鳴動期間の組み合わせのことである。
【００５９】
本第１の実施形態では、同図に示すように、アラーム番号１のアラームのパターンは、音量が「大」、音の高さが１ｋＨｚ、鳴動期間が１秒間となっており、アラーム番号２のアラームのパターンは、音量が「小」、音の高さが２ｋＨｚ、鳴動期間が２秒間となっており、アラーム番号３のアラームのパターンは、音量が「中」、音の高さが１ｋＨｚ、鳴動期間が０．５秒間を間欠的に３回となっており、アラーム番号４のアラームのパターンは、音量が「中」、音の高さが２ｋＨｚ、鳴動期間が０．５秒間を間欠的に３回となっている。
【００６０】
ところで、本第１の実施形態に係る複合機１０では、ＵＩパネル２６が、予め定められた表示を行う（本第１の実施形態では、アラーム番号４によるアラームのパターンでブザー４６を鳴動させる）か否かを示す表示要否情報を受け付ける。ＵＩパネル２６により表示要否情報が受け付けられると、当該表示要否情報はＣＰＵ２０によってＮＶＭ２８の第１のテーブルに記憶される。すなわち、ＣＰＵ２０は、ＵＩパネル２６により受け付けられた表示要否情報が前述した予め定められた表示を行うことを示す場合には図３（Ａ）に示す第１のテーブル情報を作成し、ＵＩパネル２６により受け付けられた表示要否情報が前述した予め定められた表示を行わないことを示す場合には図３（Ｂ）に示す第１のテーブル情報を作成する。
【００６１】
次に、図５を参照して、上記複数の処理が連続的に実行されるときの複合機１０の作用を説明する。なお、ここでは、錯綜を回避するために、表示要否情報及び処理関係情報がＮＶＭ２８に記憶されている場合について説明する。また、図５は上記複数の処理が連続的に実行される際に複合機１０のＣＰＵ２０により実行される本第１の実施形態に係る情報処理プログラムの処理の流れを示すフローチャートであり、当該プログラムはＲＯＭ２２の所定領域に予め記憶されている。
【００６２】
同図のステップ１００では、ＮＶＭ２８から処理関係情報を読み出し、次のステップ１０２では、変数ｎに１を代入する。
【００６３】
次のステップ１０４では、上記複数の処理におけるｎ番目の処理を実行する上記処理実行部に対して上記実行指示を送信する。これに応じて上記処理実行部は上記複数の処理におけるｎ番目の処理を実行する。
【００６４】
次のステップ１０８では、上記処理終了情報の入力待ちを行い、次のステップ１１６にて、上記ステップ１０８の処理により入力された処理終了情報により特定される処理が上記ステップ１００の処理により読み出した処理関係情報により特定される上記複数の処理における最後の処理であるか否かを判定し、肯定判定となった場合にはステップ１１９へ移行し、否定判定となった場合にはステップ１１８へ移行し、変数ｎの値を１だけインクリメントする。
【００６５】
以上のステップ１０４〜１１８の繰り返し処理により上記複数の処理が連続的に実行され、上記ステップ１０８の処理により入力された処理終了情報により特定される処理が上記ステップ１００の処理により読み出した処理関係情報により特定される上記複数の処理における最後の処理であると判定された時点でステップ１１９へ移行する。
【００６６】
ステップ１１９では、ＵＩパネル２６により受け付けられた表示要否情報が前述した予め定められた表示を行うことを示しているか否かを判定し、肯定判定となった場合にはステップ１２６へ移行し、否定判定となった場合には何ら処理を実行することなく本情報処理プログラムを終了する。
【００６７】
なお、本第１の実施形態に係る複合機１０では、上記ステップ１１９の処理として、第１及び第２のテーブル情報をＮＶＭ２８から読み出し、上記処理群にアラーム番号４によるアラームのパターンでブザー４６を鳴動させることを示す情報が関連付けられている場合には肯定判定となり、上記処理群にブザー４６による鳴動を行わないことを示す情報が関連付けられている場合には否定判定となる処理を適用している。
【００６８】
ステップ１２６では、ブザー４６に対して予め定められた鳴動を実行させた後に本情報処理プログラムを終了する。なお、本第１の実施形態に係る複合機１０では、上記ステップ１２６の処理として、アラーム番号４によるアラームのパターンでブザー４６を鳴動させる処理を適用している。
【００６９】
上記ステップ１００が本発明の読出ステップに、上記ステップ１０４が本発明の実行ステップに、上記ステップ１０８が本発明の検出ステップに、上記ステップ１１６が本発明の判定ステップに、上記ステップ１２６が本発明の表示ステップに各々相当する。
【００７０】
［第２の実施形態］
上記第１の実施形態では、上記処理群の種類に拘らず、表示要否情報をＵＩパネル２６により受け付ける場合の形態例について説明したが、本第２の実施形態では、上記処理群が複数種類あり、当該処理群の種類毎に表示要否情報を受け付ける場合の形態例について説明する。なお、複合機１０の構成は上記第１の実施の形態における構成と同様であるので、ここでの説明は省略する。
【００７１】
ところで、本第２の実施形態に係る第１のテーブル情報は、図６に示すように、コピー機能による処理、プリント機能による処理、スキャナ機能による処理、電子メール機能による処理、ＦＡＸ機能による処理、及びユーザによってＵＩパネル２６を介して指定された各々複数の処理からなる第１〜第５処理群の１０種類の情報を含んで構成されている。
【００７２】
同図に示すように、コピー機能による処理にはブザー４６による鳴動を行わないことを示す情報が、プリント機能による処理にはアラーム番号１によるアラームのパターンでブザー４６を鳴動させることを示す情報が、スキャナ機能による処理にはブザー４６による鳴動を行わないことを示す情報が、電子メール機能による処理にはアラーム番号２によるアラームのパターンでブザー４６を鳴動させることを示す情報が、ＦＡＸ機能による処理にはアラーム番号３によるアラームのパターンでブザー４６を鳴動させることを示す情報が、第１及び第２処理群にはアラーム番号４によるアラームのパターンでブザー４６を鳴動させることを示す情報（予め定められた表示を行うことを示す表示要否情報）が、第３〜第５処理群にはブザー４６による鳴動を行わないことを示す情報（予め定められた表示を行わないことを示す表示要否情報）が各々関連付けられている。
【００７３】
なお、本第２の実施形態に係る複合機１０では、第１処理群としてＦＡＸ同報送信機能による処理を、第２処理群としてＦＡＸ集信機能による処理を、第３処理群としてマルチファイルプリント機能による処理を、第４処理群としてマルチセンド機能による処理を、第５処理群としてフロージョブ機能による処理を各々適用している。
【００７４】
ところで、ＵＩパネル２６は、第１〜第５処理群の各々に対して表示要否情報を受け付ける。ＵＩパネル２６により上記処理群の種類毎に表示要否情報が受け付けられると、当該表示要否情報は、対応する処理群の種類を示す種類情報に関連付けられた状態でＮＶＭ２８に記憶される。すなわち、本第２の実施形態に係る複合機１０では、ＵＩパネル２６により第１〜第５処理群の各々に対して受け付けられた表示要否情報が、図６に示すように、第１〜第５処理群の各々に関連付けられ、本第２の実施形態に係る第１のテーブル情報としてＮＶＭ２８に記憶される。
【００７５】
次に、図７を参照して、上記複数の処理が連続的に実行されるときの本第２の実施形態に係る複合機１０の作用を説明する。なお、ここでは、錯綜を回避するために、ＵＩパネル２６により上記処理群の種類毎に表示要否情報が受け付けられ、当該表示要否情報が対応する上記種類情報に関連付けられた状態でＮＶＭ２８に記憶されている場合について説明する。
【００７６】
また、図７は、前述した予め定められた複数の処理が連続的に実行される際に複合機１０のＣＰＵ２０により実行される本第２の実施形態に係る情報処理プログラムの処理の流れを示すフローチャートであり、当該プログラムはＲＯＭ２２の所定領域に予め記憶されている。また、本第２の実施形態に係る情報処理プログラムは、上記第１の実施形態に係る情報処理プログラムと比較して、上記ステップ１１９の処理に代えてステップ１２４の処理を適用している点のみが異なっているため、図７における図５に示されるプログラムと同一の処理を行うステップについては図５と同一のステップ番号を付して、その説明を省略する。
【００７７】
同図のステップ１２４では、上記ステップ１００の処理により読み出した処理関係情報により特定される複数の処理からなる処理群が予め定められた処理群であるか否かを判定する。すなわち、上記ステップ１００の処理により読み出した処理関係情報により特定される複数の処理からなる処理群の種類情報に関連付けられた表示要否情報をＮＶＭ２８から読み出し、当該表示要否情報が前述した予め定められた表示を行うことを示しているか否かを判定し、肯定判定となった場合にはステップ１２６へ移行し、否定判定となった場合には本情報処理プログラムを終了する。
【００７８】
なお、本第２の実施形態に係る複合機１０では、上記ステップ１２４の処理として、本第２の実施形態に係る第１のテーブルをＮＶＭ２８から読み出し、上記ステップ１００の処理により読み出した処理関係情報により特定される複数の処理からなる処理群にアラーム番号４によるアラームのパターンでブザー４６を鳴動させることを示す情報が関連付けられている場合には肯定判定となり、当該処理群にブザー４６による鳴動を行わないことを示す情報が関連付けられている場合には否定判定となる処理を適用している。
【００７９】
［第３の実施形態］
上記第２の実施形態では、上記複数の処理が連続的に実行され、当該複数の処理における最後の処理が終了したときに予め定められた表示を行う場合の形態例について説明したが、本第３の実施形態では、上記複数の処理が連続的に実行され、当該複数の処理における最後の処理が終了したときに予め定められた表示を行うと共に、当該最後の処理よりも前の予め定められた処理が終了したときに予め定められた第２の表示を行う場合の形態例について説明する。なお、複合機１０の構成は上記第１の実施の形態における構成と同様であるので、ここでの説明は省略する。
【００８０】
ところで、本第３の実施形態に係る第１のテーブル情報は、図８に示すように、コピー機能による処理、プリント機能による処理、スキャナ機能による処理、電子メール機能による処理、ＦＡＸ機能による処理、及び上記第１〜第５処理群の各々による処理、第５処理群におけるＦＡＸ機能による処理による処理、第５処理群における電子メール機能による処理、第５処理群における転送機能による処理、及び第５処理群における外部連携機能による処理の１４種類の情報を含んで構成されている。
【００８１】
また、同図に示すように、コピー機能による処理、プリント機能による処理、スキャナ機能による処理、第５処理群におけるＦＡＸ機能による処理による処理、第５処理群における電子メール機能による処理及び第５処理群における転送機能による処理にはブザー４６による鳴動を行わないことを示す情報が、電子メール機能による処理にはアラーム番号２によるアラームのパターンでブザー４６を鳴動させることを示す情報が、ＦＡＸ機能による処理にはアラーム番号３によるアラームのパターンでブザー４６を鳴動させることを示す情報が、第１〜第４処理群にはブザー４６による鳴動を行わないことを示す情報（予め定められた表示を行わないことを示す表示要否情報）が、第５処理群にはアラーム番号４によるアラームのパターンでブザー４６を鳴動させることを示す情報（予め定められた表示を行うことを示す表示要否情報）が、第５処理群における外部連携機能による処理にはアラーム番号１によるアラームのパターンでブザー４６を鳴動させることを示す情報が各々関連付けられている。
【００８２】
ところで、本第３の実施形態に係る複合機１０では、ユーザによってＵＩパネル２６を介して上記予め定められた処理（本第３の実施形態では、「第５処理群における外部連携機能による処理」。）が指定される。当該予め定められた処理が指定されると、ＣＰＵ２０により、当該予め定められた処理を示す情報がＮＶＭ２８に記憶されると共に、本第３の実施形態に係る第１のテーブル情報の当該予め定められた処理を示す情報に所定のアラーム番号によるアラームのパターンでブザー４６を鳴動させることを示す情報（本第３の実施形態では、「アラーム番号１によるアラームのパターンでブザー４６を鳴動させることを示す情報」。）が関連付けられる。
【００８３】
なお、本第３の実施形態に係る複合機１０では、ユーザによってＵＩパネル２６を介して上記予め定められた処理を指定する形態を適用しているが、本発明はこれに限定されるものではなく、上記予め定められた処理を示す情報を複数種類ＲＯＭ２２に予め記憶させておき、ユーザによってＵＩパネル２６を介して当該予め定められた処理を指定する形態としても良い。
【００８４】
次に、図９を参照して、予め定められた複数の処理が連続的に実行されるときの本第３の実施形態に係る複合機１０の作用を説明する。なお、ここでは、錯綜を回避するために、ＵＩパネル２６により上記処理群の種類毎に表示要否情報が受け付けられ、当該表示要否情報が対応する上記種類情報に関連付けられた状態でＮＶＭ２８に記憶されており、かつ前述した予め定められた処理を示す情報がＮＶＭ２８に記憶されている場合について説明する。
【００８５】
また、図９は、前述した予め定められた複数の処理が連続的に実行される際に複合機１０のＣＰＵ２０により実行される本第３の実施形態に係る情報処理プログラムの処理の流れを示すフローチャートであり、当該プログラムはＲＯＭ２２の所定領域に予め記憶されている。また、図９における図７に示されるプログラムと同一の処理を行うステップについては図７と同一のステップ番号を付して、その説明を省略する。
【００８６】
同図のステップ１１０では、上記ステップ１０８の処理において入力された処理終了情報により特定される処理が上記ステップ１００の処理により読み出した処理関係情報により特定される複数の処理における最後の処理よりも前の前述した予め定められた処理であるか否かを判定し、否定判定となった場合には上記ステップ１１６へ移行する一方、肯定判定となった場合にはステップ１１４へ移行する。
【００８７】
なお、本第３の実施形態に係る複合機１０では、上記ステップ１１０の処理として、ＮＶＭ２８から前述した予め定められた処理を示す情報を読み出し、当該情報により示される処理と上記ステップ１０８の処理において入力された処理終了情報により特定される処理とが一致するか否かを判定する処理を適用している。
【００８８】
ステップ１１４では、ブザー４６に対して予め定められた鳴動（予め定められた第２の表示）を実行させた後に上記ステップ１１８へ移行する。
【００８９】
なお、本第２の実施形態に係る複合機１０では、上記ステップ１１４の処理として、ＮＶＭ２８から本第３の実施形態に係る第１のテーブル情報を読み出し、当該第１のテーブル情報における上記ステップ１１０の処理によりＮＶＭ２８から読み出した前述した予め定められた処理を示す情報に関連付けられているアラーム番号によるアラームのパターン（本第３の実施形態では、アラーム番号１によるアラームのパターン）で鳴動するようにブザー４６を制御する処理を適用している。
【００９０】
［第４の実施形態］
上記第３の実施形態では、上記複数の処理が連続的に実行され、当該複数の処理における最後の処理が終了したときに予め定められた表示を行うと共に、当該最後の処理より前の予め定められた処理が終了したときに予め定められた第２の表示を行う場合の形態例について説明したが、本第４の実施形態では、上記複数の処理が連続的に実行され、当該複数の処理における最後の処理が終了したときに予め定められた表示を行うと共に、当該最後の処理より前の予め定められた処理が終了したときに予め定められた第２の表示を行い、かつ上記複数の処理において正常に実行されなかった処理があった場合には予め定められた第３の表示を行う場合の形態例について説明する。
【００９１】
なお、本第４の実施形態に係る複合機１０の構成は上記第１の実施の形態における構成と同様であるので、ここでの説明は省略する。
【００９２】
次に、図１０を参照して、上記複数の処理が連続的に実行されるときの本第４の実施形態に係る複合機１０の作用を説明する。なお、図１０は、上記複数の処理が連続的に実行される際に本第４の実施形態に係る複合機１０のＣＰＵ２０により実行される本第４の実施形態に係る情報処理プログラムの処理の流れを示すフローチャートであり、当該プログラムはＲＯＭ２２の所定領域に予め記憶されている。また、図１０における図９に示されるプログラムと同一の処理を行うステップについては図９と同一のステップ番号を付して、その説明を省略する。
【００９３】
同図のステップ１０６では、上記ステップ１０４の処理が正常に実行されたか否かを判定し、肯定判定となった場合にはステップ１０８へ移行する一方、否定判定となった場合にはステップ１１２へ移行する。
【００９４】
ステップ１１２では、上記ステップ１０４の処理が正常に実行されなかったことを示す情報をＮＶＭ２８に記憶し、上記ステップ１１６へ移行する。
【００９５】
ステップ１１６の処理において肯定判定となった場合にはステップ１２０へ移行し、ＮＶＭ２８に上記ステップ１０４の処理が正常に実行されなかったことを示す情報が記憶されているか否かを判定し、否定判定となった場合には上記ステップ１２４へ移行する一方、肯定判定となった場合にはステップ１２２へ移行し、ブザー４６に対して予め定められた鳴動（予め定められた第３の表示）を実行させ、その後に本情報処理プログラムを終了する。
【００９６】
なお、本第３の実施形態に係る複合機１０では、上記ステップ１２２の処理として、前述したアラーム番号１〜４のアラームのパターンとは異なるアラームのパターンでブザー４６を鳴動させる処理を適用している。
【００９７】
以上、本発明を上記各実施形態を用いて説明したが、本発明の技術的範囲は上記各実施形態に記載の範囲には限定されない。発明の主旨を逸脱しない範囲で上記各実施形態に多様な変更または改良を加えることができ、当該変更または改良を加えた形態も本発明の技術的範囲に含まれる。
【００９８】
また、上記各実施形態は、特許請求の範囲に記載された発明を限定するものではなく、また、上記各実施形態の中で説明されている特徴の組み合わせの全てが発明の解決手段に必須であるとは限らない。上記各実施形態には種々の段階の発明が含まれており、開示される複数の構成要件における状況に応じた組み合わせにより種々の発明を抽出できる。上記各実施形態に示される全構成要件から幾つかの構成要件が削除されても、効果が得られる限りにおいて、この幾つかの構成要件が削除された構成が発明として抽出され得る。
【００９９】
例えば、上記各実施形態では、ブザー４６の鳴動により可聴表示を行う場合の形態例について説明したが、本発明はこれに限定されるものではなく、複合機１０にスピーカを備え、このスピーカから予め定められた音声を発することにより可聴表示を行うようにしても良い。
【０１００】
また、上記各実施形態では、ブザー４６により可聴表示を行う場合の形態例について説明したが、本発明はこれに限定されるものではなく、ＵＩパネル２６等による可視表示又はプリント機能を利用した永久可視表示を行っても良い。また、上記可聴表示、可視表示及び永久可視表示の複数を組み合わせても良い。
【０１０１】
また、上記第３及び第４の実施形態では、予め定められた複数の処理における最後の処理よりも前の予め定められた処理が終了したときに必ず予め定められた第２の表示を行う場合の形態例を挙げて説明したが、当該予め定められた第２の表示を行うか否かを選択するようにしても良い。
【０１０２】
この場合、ＵＩパネル２６により予め定められた第２の表示を行うか否かを示す第２の表示要否情報を受け付け、当該第２の表示要否情報をＮＶＭ２８に記憶させておき、ＣＰＵ２０が、第２の表示要否情報が予め定められた第２の表示を行うことを示している場合には上記予め定められた処理が終了したときに予め定められた第２の表示を行わせ、第２の表示要否情報が予め定められた第２の表示を行わないことを示している場合には予め定められた第２の表示を行わせないようにブザー４６を制御する。
【０１０３】
また、上記各実施形態では、各情報処理プログラムをＲＯＭ２２に予め記憶されている場合の形態例を挙げて説明したが、本発明はこれに限定されるものではなく、これらのプログラムをフレキシブルディスク等のコンピュータ読み取り可能な記録媒体に格納した状態で提供する形態、有線又は無線による通信手段を介して配信する形態等を適用しても良い。
【０１０４】
その他、上記各実施形態で説明した複合機１０の構成（図１及び図２参照。）は一例であり、本発明の主旨を逸脱しない範囲内において、不要な部分を削除したり、変更したりすることができることは言うまでもない。
【０１０５】
また、上記各実施形態で説明した各種処理プログラムの処理の流れ（図５、図７、図９及び図１０参照。）も一例であり、本発明の主旨を逸脱しない範囲内において不要なステップを削除したり、新たなステップを追加したり、処理順序を入れ替えたりすることができることは言うまでもない。
【０１０６】
また、上記各実施形態では、本発明を複合機に適用した場合の形態例について説明したが、例えば、予め定められた複数の音声情報を連続的に再生する音声再生装置や予め定められた複数の情報を連続的に送受信する携帯電話機等の予め定められた複数の処理を連続的に実行する情報処理装置であれば如何なるものにも本発明を適用することができることは言うまでもない。
【図面の簡単な説明】
【０１０７】
【図１】実施形態に係る複合機の機能的な構成を示す機能ブロック図である。
【図２】第１の実施形態に係る複合機の電気系の要部構成を示すブロック図である。
【図３】第１の実施形態に係る複合機における第１のテーブル情報のデータ構成の一例を示す模式図である。
【図４】第１の実施形態に係る複合機における第２のテーブル情報のデータ構成の一例を示す模式図である。
【図５】第１の実施形態に係る情報処理プログラムの処理の流れを示すフローチャートである。
【図６】第２の実施形態に係る複合機における第１のテーブル情報のデータ構成の一例を示す模式図である。
【図７】第２の実施形態に係る情報処理プログラムの処理の流れを示すフローチャートである。
【図８】第３の実施形態に係る複合機における第１のテーブル情報のデータ構成の一例を示す模式図である。
【図９】第３の実施形態に係る情報処理プログラムの処理の流れを示すフローチャートである。
【図１０】第４の実施形態に係る情報処理プログラムの処理の流れを示すフローチャートである。
【符号の説明】
【０１０８】
１０  情報処理装置
１４  記憶部
１６  検出部
１７  判定部
１８  表示部
２０  ＣＰＵ（検出手段、判定手段）
２６  ＵＩパネル（受付手段、第２の受付手段、第３の受付手段）
２８  ＮＶＭ（記憶手段）
３８  スキャナ部（実行手段）
４０  プリンタ部（実行手段）
４２  ＦＡＸ部（実行手段）
４４  電子メール部（実行手段）
４６  ブザー（表示手段）
【図１】
0004946806.tif 000002
【図２】
0004946806.tif 000003
【図３】
0004946806.tif 000004
【図４】
0004946806.tif 000005
【図５】
0004946806.tif 000006
【図６】
0004946806.tif 000007
【図７】
0004946806.tif 000008
【図８】
0004946806.tif 000009
【図９】
0004946806.tif 000010
【図１０】
0004946806.tif 000011